(57)【要約】  本発明の主題は、ガルバニック皮膚反応が、微量直流電流による頭蓋の刺激の後に測定されるプロセスである。そのプロセスにおいて、通電材料からなるループの人工頭脳学的ループ（１）を作ることによって、人体は、微量直流電流により頭蓋を通じて刺激され、その後、人体の反応が測定される。本プロセスは、ガルバニック皮膚反応及び電圧測定周波数計数ユニット（２）を用い、このガルバニック皮膚反応データは、その後、二次的刺激を生成するための同じプロセスサイクルで使用される。人工頭脳学的ループは、前額部上方に三つの接続点を用いて頭蓋の上部に取り付けられる。全ての部分は、五つの時計回り及び五つの反時計回りのループからなる電極コイル、接地（５）として使用される首周りの銀製ネックレス、並びに適切なジャック出力を用いて接続される。本方法は、制御ソフトウェア（３）によって処理される入力信号と、出される微量直流電流を用いる。私達は、それが、ジャックプラグ割当（６）にユニットを接続する処理のために有益であると考え、それにより、制御ソフトウェア（３）を起動できる機器の広範囲を作る。【選択図】  図２
2019534108.tif 000002
【特許請求の範囲】
【請求項１】
通電材料からなるループ（１）の支援を用い、微量直流電流により頭蓋骨を通じて、人体が刺激され、
ガルバニック皮膚反応及び電圧測定周波数計数ユニット（２）並びに制御ソフトウェア（３）によって処理されるデータの支援を用い、その後、人体の反応が、測定され、記憶され、使用され、前記データは、適切な信号を判定するサイクルにおいて更なる信号出力のために使用される、
ことを特徴とする直流電流頭蓋刺激を通じたガルバニック皮膚反応の測定方法。
【請求項２】
前記サイクルは、携帯電話又はコンピュータで実行する評価と制御ソフトウェア（３）により管理され、
出力微量電流は、通電材料からなり前額部の上部に取り付けられるループの支援を用い、ヘッドフォンジャックを通じて人体に接続され、
信号出力及び前記反応を測定するためのデータは、互換性のある（compatible）ジャックにより制御ソフトウェア（３）に送信される、
請求項１に記載の方法。
【請求項３】
人工頭脳学的ループであって、予想されるパラメータを引き起こすために、五つの時計回りのループ及び五つの反時計回りのループで頭蓋骨の上部に利用される独自の特徴の通電材料（１）からなるループによって特徴付けられ、
前額部の上部に接触する前記ループの電極は、グラファイト含浸ゴムからなる三つのセンサーを有し、前記ループの首部は、接地としての銀製ネックレスに接続され、ネックレスは、踝に接するグラファイトカバーバンドによって置換され得る、
請求項１に記載のプロセスのために必要な装置。
【請求項４】
首に取り付けられるボディーポイントは、マイクロフォン及びヘッドフォンジャック割当に取り付けられる銀製ネックレスである、
ことを特徴とする請求項１及び３に記載のプロセスのために必要な装置。
【請求項５】
制御ソフトウェアを通じ、信号発生器（４）によって作られる信号を単に用いる経頭蓋刺激によって特徴づけられ、
引き起こされる反応は、測定され処理され、
その結果として、誘発されるデータは、他の研究や処理の進展において使用され得る、
請求項１に記載の方法と、そのプロセスのために必要な装置。
【請求項６】
いずれの危害が、そのプロセスの間、被験者に向けられないことを保証するため、出力電圧は、単に０から４Ｖ間であり、電流は、０から７ｍＡである、
請求項１から５のいずれか一項に記載の方法及び装置。
【請求項７】
標準のジャックプラグ出力を通じて、頭部と、人体上の接地として働くネックレス（５）とに取り付けられた通電材料からなるループ（１）に接続され、信号を処理し発信する携帯機器又はコンピュータを用いる、
ことを特徴とする請求項１に記載の方法。
【発明の詳細な説明】
【技術分野】
【０００１】
本発明の主題は、頭蓋周囲に取り付けられる通電ループ（current-carrying loop）を備え、微量の直流電流によって、頭蓋を介して人体が刺激される処理である。誘導された人体の反応は、その後、特にガルバニック皮膚反応を測ることにより測定及び処理される。
【背景技術】
【０００２】
電気療法及び人体上の電流の有益な効果は、２０００年近くの間知られており、古代から利用可能な膨大な文献によって示されるように、実験テーマとされる科学である。人体の低強度電気刺激は、あらゆる時代の研究基盤の一種として一般に考えられる。電流の効果は、後にガルバニ電池によって試験されたにも関わらず、中世において、未だ絶えない注目の主題であった。それは、ガルバーニ・アルディーニ及びアレッサンドロ・ボルタ、並びに１８世紀中の多くの者によって先に進められた。
【０００３】
６０年代及び７０年代に、眼球上に電極を置き、マイクロアンペアの電流を使用することは、医者や研究者の間で認可された治療方法であり、唯一ではないが、頭蓋を通じて脳に電流を送る最も効果的な方法であると考えられた。後になって、この奇妙な方法の代わりに、より一層効果的な治療は、額に接する電極を用いることであることが発見された。
【０００４】
電流による頭蓋の刺激に関する基礎研究は、人体上で奏される効果を検査することであり、特に、不眠症の治療に重点を置くことであって、‘経頭蓋の電気的治療’又は‘電気刺激’のように、年間を通じて様々な説明が与えられている。
【０００５】
経頭蓋の電気的刺激に基づく治療を実施する一つの方法は、神経系に有益な他のホルモンに影響を与え、神経間のシナプスを強化することの他に、電気によって増やされる心拍が、ドーパミンやエンドルフィン生成も刺激しながら、神経細胞でのセロトニン生成を刺激することである。
【０００６】
最近の研究は、脳内のセロトニン、ノルエピネフリン、及びドーパミンのレベルを増やすことが、コルチゾールのレベルを相対的に減少することを示すように思われる。頭蓋の低強度電流刺激の治療後、調査の被験者は、彼らの経験として覚醒状態以外に冷静を説明した。治療中の脳波図（EEG）検査は、アルファ脳波における増加とベータ脳波における減少を示す。そのため、私達は、人体と電気との間の相互作用が、研究の広大な領域を引き込むと考える。本分野に関する特許の番号を紹介する：その発明の名称は、電気的環境での固有及び選択的変化による生体組織及び細胞の増殖、修復及び維持行動の変異であり、特許番号US4315503号で登録され、人体に誘発要因を伝達する組織や特に細胞内で電圧を誘導する、外科的に非侵襲の方法である。人体との接触は、踝と膝の間の領域とされる。脳に更に近づくが、長期的な利用が非常に危険である別の方法は、特許番号US9186505号の‘経頭蓋電気刺激装置及び方法’の名称の特許であり、頭蓋骨を通って実行されることを意味する経頭蓋の、鬱や痛みの管理に使用される電気刺激処理である。特に、その処理の明細書は、白色雑音クロック発振器及び電圧調整に言及する。しかしながら、長期間の使用は、過分極を招き、安全上のリスクを構成する。CN105107085号で登録され、‘頭蓋の電気療法刺激手段に基づく移動式機器’の名称の特許は、マイクロコントローラーユニットと刺激回路を備える手段や処理に基づき、データポートを通じた人的管理者により管理される移動式機器である。発明者は、この態様に関するいずれの詳細な情報を述べていないが、その発明は、治療的使用を排除しない初期概念を示す。上記に類似する発明は、CN105013080号で登録された‘閉回路（closed loop）経頭蓋直流電流刺激装置’であり、頭部の周りに直流電流の閉回路を作り、信号収集（signal acquisition）や発信装置（emitting apparatus）を含む。その装置はまた、マイクロフィラメント電極と差動プリアンプ（pre-differential amplifier）を含む。それは、電気的出力が送られるカップによって頭部に適応される。
【発明の概要】
【発明が解決しようとする課題】
【０００７】
説明されるように、その装置は非常に複雑であり、信号発生もかなり複雑であって、その複雑な構成のためにエラーの可能性を増やす。その明細書は、発明使用の利点や範囲に触れておらず、装置の基本設計概念に関して詳細に情報を提供するのみである。これらの発明は電気刺激を含むが、それらが解決を試みる問題とそれらが暗示する実施は、私達の提出処理での解決策に比べて異なる思考パターンに従う。先の発明に類似し、US2016136424号で登録された‘経頭蓋のパルス状電流刺激’の名称の特許は、コンピュータに実装される方法である。それは、脳にパルスを印加する電極と電圧を印加する事前に書かれた電気療法刺激プログラムを使用する。その上、この処理は、矩形波電圧信号の形状で電圧を使用する。その固有の電圧信号原理が原因で、私は、それが私の発明に関連があるとは考えない。しかしながら、それを引用することは、この研究領域の論拠に対する更なる確認を提供するが、無数の研究者が、頭蓋電気刺激に取り組むことの意義と研究領域の境界は、実際には終わりない。今でもまだ、これら研究者の全ては、重なり合わない解決策を伴う問題への異なる提案、今のところ開拓されていない問題への感謝、及びその領域の考えられる答えを有する。
【課題を解決するための手段】
【０００８】
私達の処理は、GSRtDCs（ガルバニック皮膚反応−経頭蓋直流電流刺激）と呼ばれ、その名称は、基本的に処理の工程を記述する（微量直流電流を用いて頭蓋骨を刺激することによりガルバニック皮膚反応を測定すること。）。私達の目的の一つは、スマートフォンやコンピュータのためのソフトウェアとして利用可能な上記処理の制御装置及び評価ユニットに関する。場合によっては、低電圧電流は、スマートフォンのヘッドフォンジャック（headphone jack）を通じ、前額部の上部で人体に接続されてもよい。それから、私達が測定したい反応は、スマートフォンのマイクの出力ジャックを通じて受け取られ、ソフトウェアは、独立して、評価し、録音し、次の出力信号を決めるためにそれを使用する。この際、これは、それ自身に戻るサイクルであり、出力信号によって誘導された反応が、次の処理の出力信号を作るための同じ処理内で使用されることを意味し、その強度と持続時間を決める。従って、私達の発明は、電話やコンピュータで動作し得る応用に基づく。信号は、ヘッドフォンの出射ポート（outgoing port）を通じて送受信される。ジャックに加えられる出力は、人体と、経頭蓋の上部に巻き付くループとの間の接続を作り、引き起こされた対応反応を測定することにより動作する。
【０００９】
電流によって誘導され、引き起こされた電位差を測定するため、当然ながら、私達は、安全で低い電圧電流のみを用い、この技術は、いずれの危害も被らないよう人体に十分無害なものとする。
【００１０】
基本的に、私達は、必要な処理が行われる細部（processed details）の分析を私達に許容する自然の生物学的対応反応に働き掛ける。
【００１１】
本システムはまた、コンピュータに接続される携帯電話と、その上、スタンドアロンのコンピュータに働き掛けるが、私達は、主に携帯電話を通じてインパルスを生成する。二つのいずれの機器において、プレインストールされたソフトウェア（アプリケーション）が、その処理を管理及び制御する。
【００１２】
本処理は、前額部の上部を通じて人体につながる直流を引き起こす。安全性は、ボディーポイント（body point）として首周りの銀製ネックレス又は踝周りに取り付けられるグラフェンカバーバンドを使用することにより、最も確保される。ボディーポイントを作ることに起因して、個々に扱われる脳機能は鎮静状態になく、それどころか、脳機能は増える。
【００１３】
私達の解決策の有益な実施を通じて、出力枝（outgoing branch）の電位は、０から４Ｖの間の人的知覚閾値（human sensory threshold）下の値に減少するよう制御される。処理中の安全性といずれの不都合な感覚の回避を保証するため、これは０から７ｍＡと一体にされる。
【００１４】
基本的に、本方法は、種々の機器（以下に詳述される）を使った出力信号に向けて人体の反応を測定する周期的な処理であり、データは、入力信号を格納するだけでなく新たな信号を提供するために使用する中央装置によって処理される。測定データは、全処理の間、記録される。本方法は、あとで他の処理や治療で使用され得るデータを提供する。これまでのところ、記述される私達の実験の全ては、人体の電気的に引き起こされた反応や刺激が処理される通電ループを用いて実施されている。
【００１５】
私達の目的は、通電ループや頭蓋への微量直流電流を用いて人体を刺激することであり、マイクロアンペア刺激の次の出力のためのパラメータを判断するために皮膚抵抗を測ること（ガルバニック皮膚反応の測定を使って）である。このプログラムが電話又は単純な通勤者に働き掛けるようにすることが、私達の当初の目的であった。本方法を用い、その優れた測定のため、私達は、幾つかの後の治療や処理を裏付けることに適するデータを生成する。本方法のそれ自体は、健康回復に効果的な方法ではなく、それは、主に、他の方法や更なる研究に有益なデータを生成し収集する優れた方法である。数多くの研究資料は、その処理中又は後に経験される有益な身体的及び精神的変化に取り組むが、しかし、私達は、本処理が最も満足させることを探し出すためのデータを生成する優れた解決策を見出すことが、私達の目的であった。
【００１６】
本方法の実施の際、私達は、通電するために、ループを前額部の上部に取り付けることによって、任意の携帯電話のヘッドフォンジャックを通じた低電圧電流の出力を使用する。私達は、機器のマイクロフォン端子（microphone jack）を通じたインパルス出力への人体の反応に関するデータを収集及び格納する。微量電流の新たなパルスは、ガルバニック皮膚反応の測定を通じた収集値を解析することにより生成され、従って、その値は、処理中固定されない。
【００１７】
ガルバニック皮膚反応を測定するため、私達は、電圧計を利用しなければならない。これにより、電気的出力信号に反応しているとき、皮膚反応を通じた人体の応答を測ることが可能となる。今日の携帯電話は、電気的信号を生成し受信することが可能であるため、インストールされたソフトウェアが、機器のハードウェアに変化を起こせる間、それらは、議論される方法を実施するために最適な手段である。
【００１８】
前述の通電ループは、人工頭脳学的ループ（cybernetic loop）であって、基本的には、ソフトウェアの起動によって、私達が電気刺激を与える電極であり、ループの出口（outlet of the loop）は、ヘッドフォンジャックに接続され、信号は、そのジャック（ヘッドフォン−スピーカーユニット）を通じて発せられる。帰還信号（returning signals）は、更なる解析のための適切な受信ユニット（マイクロフォンユニット）を通じて受信される。これにより、私達は、治療のために引き起こされる信号／波を独立に伝送し、解析や次の反応を引き起こすための信号を生成するためにそれらを受信する人工頭脳学的ループと呼ばれる電極を作る。予想される経頭蓋効果を引き起こし、スカラー場を生成するために、電極コイルは、五つの時計回りのループ及び五つの反時計回りのループで頭蓋の上部に適用されることが重要である。前額部の上部に接触する電極は、信号を伝送するグラフェンカバーゴムからなる三つのセンサーを有する。更に、双方の電極コイルは、首周りに身に着けられる銀製ネックレスに接地される。
【００１９】
下文に、私達は、登録が求められる処理、及び理解を容易にするための模式図を用いることによりその処理を記述する。
【図面の簡単な説明】
【００２０】
【図１】理論的な操作プロセス。
【図２】ジャック割当（jack allocation）に関する模式図。
【発明を実施するための形態】
【００２１】
図１は、本方法の操作プロセスの略図である。最初の工程で、通電材料からなるループは、前額部に接する頭部上部に取り付けられる。このループは、人工頭脳学的ループと呼ばれ、予想される電界強度を引き起こす五つの時計回りのループ及び五つの反時計回りのループによって作られる。循環（サイクル）過程が、本方法で実施され、制御ソフトウェア３を起動するために適する機器のマイクロフォン及びヘッドフォンジャックを通じて発信及び受信される信号を使用する。それによって、ソフトウェアによって決められ、信号発生器４によって発信される信号は、通電材料からなるループ１に達するヘッドフォンジャックを通じて伝達され、付着点で前額部を通じて出る。人体の刺激によって引き起こされる検出可能な変化は、電圧測定周波数計数ユニット２（voltage measuring and frequency counting unit 2）によって処理され記録され、その後、サイクルが再開するが、現在、新たな信号が、以前発信された信号と相違し、受信データによって判定される。図２は、本方法に最も適するジャック割当を描写し、その三つの接続点を含む通電材料からなり、銀製ネックレスの形で首部で接地するループ１は、ジャック割当６に接続され、それによって、制御ソフトウェアを起動する（携帯）機器３に接続されることを示す。
【符号の説明】
【００２２】
１  通電材料からなるループ
２  電圧測定周波数計数ユニット
３  ソフトウェア制御
４  信号発生器
５  接地
６  ジャック割当
【図１】
2019534108.tif 000003
【図２】
2019534108.tif 000004
【国際調査報告】
2019534108.tif 000005
2019534108.tif 000006
2019534108.tif 000007